(57)【要約】【課題】  肘掛け椅子の肘掛けへの着脱が容易で、装着時は肘掛けの前方に広く位置してかつ外れず、肉体的圧迫が無く安心して多用途に長時間使用できるテーブルを提供する。【解決手段】  テーブル部1を支えると同時に肘掛け椅子に取り付けるために設けた嵌合凹部を持つアーム部2a、2bを有し該凹部の向い合う二つの内面が該肘掛けを挟み込むようにその上面と下面とに同時に接触することにより肘掛け椅子に取り付けられ、また前記肘掛けの前端に接触する部分と後端に接触する部分とを有しこれらの接触によって前後の動きを抑え、さらに前記肘掛けを固定している左右二つのアームパイプの側面に接触する部分を有しこれらの接触によって左右の動きを抑える。着脱操作はアーム部2a、2bを肘掛けに沿わせて水平移動させるだけの簡単なものとなる。【選択図】  図１
2005137402.tif 000002
【特許請求の範囲】
【請求項１】
アームパイプの上に肘掛けが固定された肘掛け椅子の肘掛けに装着して使用するテーブルであって、その装着状態において該肘掛けの上面に接触する第1の接触部と該肘掛けの下面に接触する第２の接触部とを有する嵌合凹部を備え、該第1の接触部が前記上面に接触するとともに該第2の接触部が前記下面に接触することにより落下が防止されるように肘掛け椅子に取り付けられることを特徴とする肘掛け椅子用テーブル。
【請求項２】
該肘掛けの前端に接触する第３の接触部と該肘掛けの後端に接触する第４の接触部とを有し、該第３の接触部が前記前端に接触することにより後方への動きが抑えられるとともに該第４の接触部が前記後端に接触することにより前方への動きが抑えられることを特徴とする前記請求項1記載の肘掛け椅子用テーブル。
【発明の詳細な説明】
【技術分野】
【０００１】
本発明は、肘掛けがアームパイプの上に固定された肱掛け椅子に装着して使用するテーブルに関する。
【背景技術】
【０００２】
車椅子などのように肘掛けがアームパイプの上に固定されたタイプの肘掛け椅子に装着して使用するテーブルとしては、左右の肘掛けの上に載せテーブル裏面に取り付けた固定用ベルトを肘掛けに巻いて固定するものがある（例えば、特許文献１参照。）。
【特許文献１】特開平１１−７６３１１号公報（３ページ目、図３）
【発明の開示】
【発明が解決しようとする課題】
【０００３】
しかしながらこれは利用者から見た場合には、テーブル位置が利用者に近くなるため胸部や腹部などへの圧迫感や窮屈感を生じ易い、テーブル前端を肘掛けからあまり前方に離し難いためテーブルの前後幅を広くし難い、装着が甘いと緩んだり外れたりすることが生じ得る、などの問題があった。
【０００４】
本発明は、利用者から見たこれらの問題点を解決し、多用途に安心して使用できかつ長時間使用しても肉体的苦痛を覚えないようにすべくなされたものである。その目的とするところは、テーブルの前後幅および左右の幅を広くし、かつ肘掛け椅子の肘掛けの前側よりも前方に取り付けることによって胸部や腹部への肉体的な圧迫を生ずることがなく、また使用中は外れる心配がなく、さらに着脱が容易で利用者が肘掛け椅子に着座したまま簡単に着脱操作を行うことのできる肘掛け椅子用テーブルを提供することにある。
【課題を解決するための手段】
【０００５】
上記目的を達成するために本発明の肘掛け椅子用テーブルに講じた手段は次の通りである。第一の発明にあっては、アームパイプの上に肘掛けが固定された肘掛け椅子の肘掛けに装着して使用するテーブルであって、その装着状態において該肘掛けの上面に接触する第1の接触部と該肘掛けの下面に接触する第2の接触部とを有する嵌合凹部を備え、該第1の接触部が前記上面に接触するとともに該第2の接触部が前記下面に接触することにより落下が防止されるように肘掛け椅子に取り付けられるようにしたものである。
【０００６】
第二の発明にあっては第一の発明に係り、該肘掛けの前端に接触する第3の接触部と該肘掛けの後端に接触する第4の接触部とを有し、該第4の接触部が前記前端に接触することにより後方への動きが抑えられるとともに該第4の接触部が前記後端に接触することにより前方への動きが抑えられるようにしたものである。
【０００７】
第一の発明の肘掛け椅子用テーブルでは、前記肘掛けの上面に接触する第1の接触部と同下面に接触する第2の接触部との間の最短距離は少なくとも肘掛け椅子への装着状態においては一定に保たれるが、その値を該肘掛けの上下厚より若干長めにすることにより、本発明の肘掛け椅子用テーブルの肘掛け椅子への着脱をスムーズに行うことができる。
【０００８】
第二の発明の肘掛け椅子用テーブルでは、前記肘掛けの前端に接触する第3の接触部と同後端に接触する第4の接触部との間の最短距離を該肘掛けの前後長よりも長くすることにより、その差長を本発明の肘掛け椅子用テーブルの肘掛け椅子に対する前後位置の調節に使うことができる。
【０００９】
本発明の肘掛け椅子用テーブルはテーブル部分とそれを肘掛けに取り付けるために設けられたアーム部分とで構成され、第一の発明により肘掛け椅子に取り付けられ、第二の発明により前後方向の動きが抑えられ、さらに前記各接触部を有するアーム部分が肘掛けやそれを固定しているアームパイプに左右方向から接触することになり左右方向の動きも抑えられる。そのため装着状態においては外れる心配がなく、さらにテーブル部分は肘掛けの前方部分よりも前側に位置することになるため、テーブルの左右幅のみならず前後幅をも広くすることができることとなり多用途に使用できると同時に利用者との間に空間的な余裕も生まれるため、利用者は長時間の利用にも肉体的な圧迫感や窮屈感を覚え難い。
【００１０】
本発明の肘掛け椅子用テーブルの肘掛け椅子への着脱操作は、基本的に肘掛けに沿わせた水平動作だけであるため、肘掛け椅子利用者自らが肘掛け椅子に着座したまま着脱操作を容易に行うことができる。
【発明の効果】
【００１１】
以上に説明したように、本発明の肘掛け椅子用テーブルは前後および左右の幅を広く取れ、肘掛け椅子の肘掛けの前側よりも前方に位置して利用者を肉体的に圧迫することが無くかつ装着状態においては外れることがないために、多用途に安心して長時間使用でき、しかも着脱操作が簡単で利用者自らが容易に着脱操作を行うことができる、などの特長を備えており、肘掛け椅子利用者にとって着座したまま読み、書き、食事、各種手作業など幅広い用途に使用でき、特に車椅子の場合、その利用者の生活の質の向上に貢献することができる。
【発明を実施するための最良の形態】
【００１２】
次に本発明の肘掛け椅子用テーブルの実施形態として、肘掛け椅子の肘掛けに接触する複数の構造タイプについて、順に説明する。以下、本発明の肘掛け椅子用テーブルを単に“テーブル”と記す。なお、肘掛け椅子の肘掛けに接触する部分の形状はこれらの実施例に限定されるものではない。
【００１３】
図１〜図９は本発明の第一の実施例を説明する図面であり、図１０〜図１８は本発明の第二の実施例を説明する図面である。図１は本発明の第一の実施例によるテーブルの装着された肘掛け椅子の外観図を示し、図１０は本発明の第二の実施例によるテーブルの装着された肘掛け椅子の外観図を示す。第一の実施例では、図２がテーブル外観図、図３がテーブルの前平面図、図４がテーブルの上平面図、図５がテーブルの左側面図をそれぞれ示し、さらに図６から図９まではテーブル着脱の際の両肘掛け１１ａ、１１ｂやそれらを固定している両アームパイプ１２ａ、１２ｂとテーブルとの位置関係の変化を示す左側面図である。即ち装着の際は図６が装着開始時、図７が装着途中時、図８が装着終了時、最後に図９が装着状態をそれぞれ示す。テーブル取り外しの際には両肘掛け１１ａ、１１ｂや両アームパイプ１２ａ、１２ｂとテーブルとの位置関係の変化は全く逆に図９、図８、図７、図６の順となる。
【００１４】
次に第二の実施例では、図１１がテーブル外観図、図１２がテーブルの前平面図、図１３がテーブルの上平面図、図１４がテーブルの左側面図をそれぞれ示し、さらに図１５から図１８まではテーブル着脱の際の両肘掛け１１ａ、１１ｂやそれらを固定している両アームパイプ１２ａ、１２ｂとテーブルとの位置関係の変化を示す左側面図である。即ち装着の際は図１５が装着開始時、図１６が装着途中時、図１７が装着終了時、最後に図１８が装着状態をそれぞれ示す。テーブル取り外しの際には両肘掛け１１ａ、１１ｂや両アームパイプ１２ａ、１２ｂとテーブルとの位置関係の変化は全く逆に図１８、図１７、図１６、図１５の順となる。
【実施例１】
【００１５】
まず第一の実施例について図１、図２、図３、図４および図５を参照して各部の役割と肘掛け椅子に装着するためのテーブルの構造について以下に説明する。図１は第一の実施例のテーブルを装着した状態の肘掛け椅子を表したものであり、肘掛け椅子に装着するためのテーブルの構造と各部の役割について以下に説明する。
【００１６】
図２のテーブル外観図からわかるようにテーブルはテーブル部1とそれを肘掛け椅子に取り付けるために設けたアーム部２ａ、２ｂとより成り、両部の境目部分に肘掛け椅子利用者方向に開いた嵌合凹部ができている。この嵌合凹部は肘掛けに対応して左右二つあり、それぞれが第1の接触部であるところの肘掛けの上面に接触する下向き面の重力押え部３ａ、３ｂ、第2の接触部であるところの肘掛けの下面に接触する上向き面の回転動作抑止部４ａ、４ｂ、および第3の接触部であるところの肘掛けの前端に接触する後方向動作抑止部６ａ、６ｂとで成す嵌合凹部である。
【００１７】
次に作用について説明する。テーブルが肘掛け椅子に装着された状態では、前記第1の接触部即ち重力押え部３ａ、３ｂに対して、該肘掛けの上面が下からこれに接触してテーブルを支えようとするが、テーブルの重心は重力押え部３ａ、３ｂよりも前方にあるため、該接触によりテーブルは前下方へ回転しようとする。これに対して前記第2の接触部即ちアーム部２ａ、２ｂの上向き面である回転動作抑止部４ａ、４ｂが該肘掛けの下面に接触することによりこの回転動作が抑えられ、テーブルは静止し肘掛け椅子に取り付けられた状態となる。
【００１８】
また、前記嵌合凹部の窪み面であり第3の接触部である後方向動作抑止部６ａ、６ｂが肘掛けの前端と接触することにより後方向への動きを抑える。これと反対にアーム部２ａ、２ｂの先端には上向きの突起があり、該突起の前側面が前記第4の接触部即ち前方向動作抑止部５ａ、５ｂとして、肘掛けの後端と接触することにより前方向への動きを抑える。
【００１９】
さらに、左右2つのアーム部２ａ、２ｂの互いに向き合う内側面は左方向動作抑止部７ａおよび右方向動作抑止部７ｂであり、肘掛けを固定している2つのアームパイプ１２ａ、１２ｂに外側から接触することにより左右方向への動きが抑えられる。即ち、肘掛け椅子に装着された状態にあってテーブルを左方向へ動かそうとすると左方向動作抑止部７ａが右肘掛け１１ａを固定している右アームパイプ１２ａの外側面に接触して左方向への動きは抑止され、逆にテーブルを右方向へ動かそうとすると右方向動作抑止部７ｂが左肘掛け１１ｂを固定している左アームパイプ１２ｂの外側面に接触して右方向への動きは抑止される。
【００２０】
後方向動作抑止部６ａ、６ｂから前方向動作抑止部５ａ、５ｂまでの距離を肘掛けの前後長よりも長くすることにより、その差長（これを差長Ａと称する）をテーブルと肘掛け椅子との間の前後位置の調節に使うことができる。ただし、テーブル部１の肘掛け椅子利用者側縁８であり重力押え部３ａ、３ｂの利用者側の縁であるところから前方向動作抑止部５ａ、５ｂまでの最短空間距離は肘掛けの前後長よりも短くなっており、その差長（これを差長Ｂと称する）がほぼ重力押え部３ａ、３ｂと肘掛けの上面との接触部分の前後幅となる。
【００２１】
前記差長Ｂは極端に短いと重力押え部３ａ、３ｂと肘掛け１１ａ、１１ｂ上面との接触部分が肘掛けの前端近傍だけとなり強度上好ましくないが、逆に長過ぎるとテーブル部１が利用者に近づき過ぎ利用者を圧迫し易くなる。そこで前記差長をある程度の長さにしても、図１に示すように利用者の胸部または腹部が接触し難いようにテーブル部１の利用者側縁８の中央部分を削ったような形にすることにより強度上の問題と肉体的圧迫の問題とを同時に解決することができる。
【００２２】
特に重力押え部３ａ、３ｂが肘掛けの前方上面から受ける圧力が大きいため、重力押え部３ａ、３ｂに相当する部分の材料厚を厚くする、また前記嵌合凹部部分を変形し難く破壊され難い部材で構成し、その上にテーブル部１を載せた構造にする、などが強度上好ましい。
【００２３】
次に、テーブルの肘掛け椅子への着脱操作について説明する。簡単に言えば、装着操作はテーブル前方をやや持ち上げアーム部２ａ、２ｂの先端を肘掛けの前端下側に来るようにしたまま後方向へ水平移動させるだけ、また取り外し操作は同様にテーブル前方をやや持ち上げ逆に前方向へ水平移動させるだけ、となる。
【００２４】
図６、図７、図８、図９を用いてもう少し詳しく説明する。まず図６に示すようにテーブルを肘掛け椅子の前方位置でテーブル前方部分をやや持ち上げたような状態にして、アーム部２ａ、２ｂの先端にある前方向動作抑止部５ａ、５ｂを対応する肘掛け１１ａ、１１ｂの前端の下側にあててテーブルを肘掛け椅子方向に水平にスライドさせ、途中で図７に示すようにテーブル部１の利用者側縁８が肘掛け１１ａ、１１ｂの上面に載るのを確認し、さらに水平にスライドを続ければ、図８に示すように後方向動作抑止部６ａ、６ｂが肘掛け１１ａ、１１ｂの前端に接触して自動的に後方向への水平移動動作は止まる。ここでテーブルから手を離せばテーブルの自重により図９に示すようにテーブルの前方が下がり重力押え部３ａ、３ｂが肘掛け１１ａ、１１ｂの上面に接触し同時に回転動作抑止部４ａ、４ｂが肘掛け１１ａ、１１ｂの下面に接触してテーブルは自動的に肘掛け椅子に装着された状態となる。
【００２５】
次にテーブルの肘掛け椅子からの取り外し方法について説明する。まずテーブル装着操作と同様にテーブル部１の前方部分を若干持ち上げると、重力支え部３ａ、３ｂの縁でありかつテーブル部１の肘掛け椅子利用者側縁８であるところが支えとなり前方向動作抑止部５ａ、５ｂが肘掛け１１ａ、１１ｂの下面よりも下がるので、そのままテーブルを前方へ水平にスライドさせることによりテーブルは肘掛け椅子から取り外される。
【００２６】
前記重力押え部３ａ、３ｂと前記回転動作抑止部４ａ、４ｂとの間の空間距離すなわち前記嵌合凹部の向き合う上下面間の空間距離を、肘掛けの厚みにほんの数ミリメートル程度の余裕を加えた長さにすることにより、テーブル着脱の際にテーブル前方部分の持ち上げが可能となり前方向動作抑止部５ａ、５ｂを容易に肘掛け１１ａ、１１ｂよりも下方にすることができるとともに、テーブルと肘掛け椅子との間の摩擦も大幅に減らせるため、テーブル着脱をより容易に行うことができる。なお、該上下面間の空間距離を、テーブル着脱の際は長目にし装着状態では肘掛けの上下厚まで短くして固定する、などしてもよい。
【００２７】
同様に左方向動作抑止部７ａと右方向動作抑止部７ｂとの間の空間距離も前記二つのアームパイプ１２ａ、１２ｂの外側面同士間の距離にほんの数ミリメートル程度の余裕を加えた長さにすることによって、テーブル着脱の際にテーブルと肘掛け椅子との間の摩擦を大幅に減らせるため、テーブル着脱をより容易に行うことができる。
【実施例２】
【００２８】
次に、本発明の第二の実施例について説明する。まず第二の実施例について、図１０、図１１、図１２、図１３、および図１４を参照して各部の役割と肘掛け椅子に装着するためのテーブルの構造について以下に説明する。図１０は第二の実施例のテーブルを装着した状態の肘掛け椅子を表したものであり、肘掛け椅子に装着するためのテーブルの構造と各部の役割について以下に説明する。
【００２９】
図１１のテーブル外観図からわかるようにテーブルはテーブル部１とそれを肘掛け椅子に取り付けるために設けたアーム部２ａ、２ｂとより成り、アーム部の先端にテーブル部１方向に開いた前記嵌合凹部ができている。この嵌合凹部は肘掛けに対応して左右二つあり、それぞれが第1の接触部であるところの肘掛けの上面に接触する下向き面の重力押え部３ａ、３ｂ、第2の接触部であるところの肘掛けの下面に接触する上向き面の回転動作抑止部４ａ、４ｂ、および第4の接触部であるところの肘掛けの後端に接触する前方向動作抑止部５ａ、５ｂとで成す嵌合凹部である。
【００３０】
次に作用について説明する。テーブルが肘掛け椅子に装着された状態では、前記第１の接触部即ち重力押え部３ａ、３ｂに対して、該肘掛けの上面が下からこれに接触してテーブルを支えようとするが、テーブルの重心は重力押え部３ａ、３ｂよりも前方にあるため、該接触によりテーブルは前下方へ回転しようとする。これに対して前記第２の接触部即ちアーム部２ａ、２ｂの先端下側に設けられた上向き面の回転動作抑止部４ａ、４ｂが該肘掛けの下面に接触することによりこの回転動作が抑えられ、テーブルは静止し肘掛け椅子に取り付けられた状態となる。
【００３１】
また、前記嵌合凹部の窪み面であり第４の接触部である前方向動作抑止部５ａ、５ｂが肘掛けの後端と接触することにより前方向への動きを抑える。これと反対にテーブル部１とアーム部２ａ、２ｂとの境目部分の下側には下向きの突起があり、該突起の後側面が前記第３の接触部即ち後方向動作抑止部６ａ、６ｂとして、肘掛けの前端と接触することにより後方向への動きを抑える。
【００３２】
さらに、前記回転動作抑止部４ａ、４ｂに隣接した互いに向き合う内側面は左方向動作抑止部７ａおよび右方向動作抑止部７ｂであり、さらにテーブル部１とアーム部２ａ、２ｂとの境目部分の下側にある下向きの突起の一部であり後方向動作抑止部６ａ、６ｂに隣接した互いに向き合う内側面も、左方向動作抑止部７ａおよび右方向動作抑止部７ｂである。これらは肘掛け１１ａ、１１ｂを固定している二つのアームパイプ１２ａ、１２ｂに外側から接触することにより左右方向への動きが抑えられる。即ち、肘掛け椅子に装着された状態にあってテーブルを左方向へ動かそうとすると左方向動作抑止部７ａが肘掛け椅子の右アームパイプ１２ａの外側面に接触して左方向への動きは抑止され、逆にテーブルを右方向へ動かそうとすると右方向動作抑止部７ｂが肘掛け椅子の左アームパイプ１２ｂの外側面に接触して右方向への動きは抑止される。
【００３３】
後方向動作抑止部６ａ、６ｂから前方向動作抑止部５ａ、５ｂまでの距離を肘掛けの前後長よりも長くすることにより、その差長（これを差長Ｃと称する）をテーブルと肘掛け椅子との間の前後位置の調節に使うことができる。ただし、回転動作抑止部４ａ、４ｂの先端であり前記嵌合凹部の向かい合う二面のうちの片方の先端であるところから後方向動作抑止部６ａ、６ｂまでの最短空間距離は肘掛けの前後長よりも短くなっており、その差長（これを差長Ｄと称する）がほぼ回転動作抑止部４ａ、４ｂと肘掛けの下面との接触部分の前後幅となる。
【００３４】
テーブルにより強度を持たせるためにはこの差長Ｄは長い方がよく、前記嵌合凹部を含むアーム部２ａ、２ｂも変形し難く破壊され難い部材で構成するのがよい。また重力押え部３ａ、３ｂが肘掛けの前方上面から受ける圧力が大きいため、アーム部２ａ、２ｂとテーブル部１とを平面上でつないだ構造にするのではなく、むしろ図１に示すようにアーム部をテーブル部１の下面にしてテーブル部最前部まで延長させ、その上にテーブル部１を載せた構造にする方がよい。
【００３５】
次に、テーブルの肘掛け椅子への着脱操作について説明する。簡単に言えば、装着操作はテーブル前方をやや持ち上げ前記嵌合凹部が肘掛けの後端に掛かるようにして前方向へ水平移動させるだけ、また取り外し操作は同様にテーブル前方をやや持ち上げ逆に後方向に水平移動させるだけ、となる。
【００３６】
図１５、図１６、図１７、図１８を用いてもう少し詳しく説明する。まず装着開始は図１５に示すようにテーブルのアーム部２ａ、２ｂを肘掛けの上に載せてテーブル前方をやや持ち上げたまま肘掛け椅子後方に水平にずらしていくと、図１６に示すように前記嵌合凹部が肘掛けの後端より後方になり肘掛けの上下面を挟み込める位置まで下がる。これを確認して、前記第３の接触部である後方動作抑止部６ａ、６ｂのある突起部分を肘掛けの上に沿うように前方に水平移動させると、図１７に示すように肘掛け後端部が前記嵌合凹部の窪み面に当たり同時に後方向動作抑止部６ａ、６ｂは肘掛けの前端よりも前にきて動作は止まる。ここでテーブルから手を離せばテーブルの自重により図１８に示すようにテーブルの前方が下がり重力押え部３ａ、３ｂが肘掛け１１ａ、１１ｂの上面に接触し同時に回転動作抑止部４ａ、４ｂが肘掛け１１ａ、１１ｂの下面に接触してテーブルは自動的に肘掛け椅子に装着された状態となる。
【００３７】
次にテーブルの肘掛け椅子からの取り外し方法について説明する。まずテーブル装着操作と同様にテーブル部1の前方部分を若干持ち上げると、後方向動作抑止部５ａ、５ｂが持ちあがり肘掛け前端部と接触しない高さになるため後方向動作が可能となる。そのままテーブルを肘掛けに沿って後方向へ水平移動させれば回転動作抑止部４ａ、４ｂが肘掛け１１ａ、１１ｂの下面と接触し得ない位置となり、テーブル取り外しが可能となる。ここでそのままテーブルを上に持ち上げれば肘掛け椅子から取り外すことができる。
【００３８】
前記重力押え部３ａ、３ｂと前記回転動作抑止部４ａ、４ｂとの間の空間距離すなわち嵌合凹部の向かい合う上下面間の空間距離を、肘掛けの厚みにほんの数ミリメートル程度の余裕を加えた長さにすることにより、テーブル着脱の際にテーブル前方部分の持ち上げが可能となり後方向動作抑止部６ａ、６ｂを容易に肘掛け１１ａ、１１ｂよりも上方にすることができるとともに、テーブルと肘掛けとの間の摩擦も大幅に減らせるため、テーブル着脱をより容易に行うことができる。
【００３９】
同様に後方向動作抑止部６ａ、６ｂを有する突起の内側面同士間の空間距離および回転動作抑止部４ａ、４ｂに隣接した内側面の空間距離は等しく、前記アームパイプ１２ａ、１２ｂの外側面同士間の距離に数ミリメートル程度の余裕を加えた長さにすることによってもテーブル着脱時のアーム部２ａ、２ｂと両アームパイプ１１ａ、１１ｂとの間の摩擦をほとんど無くすことができ、テーブル着脱がより容易となる。
【００４０】
その他の実施例として、アーム部の嵌合凹部の窪みを肘掛けの左右方向の外側面に対応させたものについて説明する。この場合のテーブルの着脱は肘掛けに対して前後方向ではなく左右方向の水平動作によってなされる。その一構造について説明する。左アーム部をテーブル部とを一体化させておき、右アーム部を左右方向に可動な構造とする。装着方法は、まず両アーム部間の距離を両肘掛け間の距離よりも広くなるように前記右アーム部を右外側面方向にずらしておいてから、テーブルを肘掛けの上方から下して左肘掛けに左アーム部の嵌合凹部を嵌合させ、次に右アーム部にある嵌合凹部を右外側面方向から左方向へ水平にスライドさせて右肘掛けに嵌合させることとなる。この後は、スライドさせた方の右アーム部をネジ等で右肘掛けに固定すれば使用可能な装着状態となる。この実施例において、嵌合凹部を肘掛けの上下面および前後面を外側面側から近づけて嵌め込むような輪形にしてもよい。こうすることにより使用時の肘掛けの上面や下面との接触面積が広がり、テーブルやその上に載せた物の重みに対してより強度を上げることができる。
【００４１】
さらに、第一の実施例においてアーム部先端の前方向抑止部５ａ、５ｂのある突起部分をアーム部に押し込められるようにしておけば、テーブル装着時のテーブル前端の上下動は不要となる。その該突起部分の一構造例を説明する。アーム部先端に上向きの小穴をあけ、その中に上下動するバネを埋め込み、そのバネの上部に上下動する突起部分を付け、これが肘掛けの前端および後端に接触する際に上下動を生ずるようにする。即ち該突起部分の後面側の形状は前側が高く後側が低い斜面となっており、テーブル装着の際に肘掛け前端下側に該斜面が接触して突起部分は下に押され前記小穴に押し込められた状態となり、肘掛け後端より後側の一までくるとバネの力で上に飛び出て突起状態となる。また該突起の前面側の形状は下側が垂直面となっており装着状態での前方への動きを抑えるが、上側は前側から後側に向けて高くなる斜面を成している。テーブル取り外しの際は最初にテーブル前方を少し持ち上げ前記垂直面を肘掛けの下面よりも下に来るようにして少し前方にスライドさせると突起部分の前側上方の斜面が肘掛け後端部に接触して突起部分が前記小穴に押し込められた状態となる。その後はテーブル前方の持ち上げは止めそのまま前方にスライドさせるだけでテーブルを取り外すことができる。
【００４２】
この他に、テーブルそのものの収納性を良くするための方法も考えられる。そのひとつが、前記アーム部を釣り竿のように引き出し構造にし、未使用時にはテーブル部の下面側に押し込んで収納しておき、使用時はアーム部を引き出す構造にすることが考えられる。こうすることにより、未使用時のテーブル収納スペースを小さくすることができる。
【００４３】
また他に、テーブル端などに穴を開け、その穴を直接壁側のフック等に掛けたりその穴に紐を通しその紐を壁側のフック等に掛けたりすることができる。これは床等に収納場所が取れないような場合に都合がよい。
【００４４】
さらに、テーブル部についても、折りたたみ構造にすることで収納性を良くすることが考えられる。折りたたみ一回で半分の大きさとなり、屏風のように数回の折りたたみ構造とすることにより収納スペースをより少なくすることができる。
【図面の簡単な説明】
【００４５】
【図１】本発明の第一実施例による肘掛け椅子用テーブルが装着された肘掛け椅子を示した外観図である。
【図２】本発明の第一実施例による肘掛け椅子用テーブルを示した外観図である。
【図３】本発明の第一実施例による肘掛け椅子用テーブルを示した前側面図である。
【図４】本発明の第一実施例による肘掛け椅子用テーブルを示した上平面図である。
【図５】本発明の第一実施例による肘掛け椅子用テーブルを示した左側面図である。
【図６】本発明の第一実施例による肘掛け椅子用テーブルの装着開始時の肘掛けとの位置関係を示した左側面図である。
【図７】本発明の第一実施例による肘掛け椅子用テーブルの装着途中時の肘掛けとの位置関係を示した左側面図である。
【図８】本発明の第一実施例による肘掛け椅子用テーブルの装着終了時の肘掛けとの位置関係を示した左側面図である。
【図９】本発明の第一実施例による肘掛け椅子用テーブルの装着状態における肘掛けとの位置関係を示した左側面図である。
【図１０】本発明の第二実施例による肘掛け椅子用テーブルが装着された肘掛け椅子を示した外観図である。
【図１１】本発明の第二実施例による肘掛け椅子用テーブルを示した外観図である。
【図１２】本発明の第二実施例による肘掛け椅子用テーブルを示した前側面図である。
【図１３】本発明の第二実施例による肘掛け椅子用テーブルを示した上平面図である。
【図１４】本発明の第二実施例による肘掛け椅子用テーブルを示した左側面図である。
【図１５】本発明の第二実施例による肘掛け椅子用テーブルの装着開始時の肘掛けとの位置関係を示した左側面図である。
【図１６】本発明の第二実施例による肘掛け椅子用テーブルの装着途中時の肘掛けとの位置関係を示した左側面図である。
【図１７】本発明の第二実施例による肘掛け椅子用テーブルの装着終了時の肘掛けとの位置関係を示した左側面図である。
【図１８】本発明の第二実施例による肘掛け椅子用テーブルの装着状態における肘掛けとの位置関係を示した左側面図である。
【符号の説明】
【００４６】
１      テーブル部
２ａ    右アーム部
２ｂ    左アーム部
３ａ    重力押え右部（第１の接触部）
３ｂ    重力押え左部（第１の接触部）
４ａ    回転動作抑止右部（第２の接触部）
４ｂ    回転動作抑止左部（第２の接触部）
５ａ    前方向動作抑止右部（第４の接触部）
５ｂ    前方向動作抑止左部（第４の接触部）
６ａ    後方向動作抑止右部（第３の接触部）
６ｂ    後方向動作抑止左部（第３の接触部）
７ａ    左方向動作抑止部
７ｂ    右方向動作抑止部
８      テーブル部１の肘掛け椅子利用者側縁
１１ａ  肘掛け椅子の右肘掛け
１１ｂ  肘掛け椅子の左肘掛け
１２ａ  肘掛け椅子の右アームパイプ
１２ｂ  肘掛け椅子の左アームパイプ
【図１】
2005137402.tif 000003
【図２】
2005137402.tif 000004
【図３】
2005137402.tif 000005
【図４】
2005137402.tif 000006
【図５】
2005137402.tif 000007
【図６】
2005137402.tif 000008
【図７】
2005137402.tif 000009
【図８】
2005137402.tif 000010
【図９】
2005137402.tif 000011
【図１０】
2005137402.tif 000012
【図１１】
2005137402.tif 000013
【図１２】
2005137402.tif 000014
【図１３】
2005137402.tif 000015
【図１４】
2005137402.tif 000016
【図１５】
2005137402.tif 000017
【図１６】
2005137402.tif 000018
【図１７】
2005137402.tif 000019
【図１８】
2005137402.tif 000020